(57)【特許請求の範囲】
【請求項１】
（イ）中心導体と、そのまわりに密着して配された断面円環状の絶縁体と、そのまわりに密着して配された断面円環状の外部導体とを有し、一方の遊端部に、上記外部導体の遊端面が上記絶縁体の遊端面よりも上記一方の遊端部側とは反対側の他方の遊端部側に下っている位置にあるように端末処理が施されている第１の同軸ケーブルから出発して、その外部導体が、上記第１の同軸ケーブルの一方の遊端端部側の延長途上において、断面円環状のコネクタ取付用膨出部を有している第２の同軸ケーブルを製造する製法であって、
（ロ）（ａ）平らな主面と、相対向する両端面と、上記主面に臨み且つ上記相対向する両端面間に直線的に延長している縦溝と、上記主面に臨み且つ上記縦溝をその延長方向に第１及び第２の縦溝部に２分するように上記縦溝と直交して延長している横溝とを有し、（ｂ）上記縦溝の第１の縦溝部が、その延長方向と直交する断面でみて、上記第１の同軸ケーブルの外部導体の外径と等しいかそれよりもわずかに大きな径の円の半円弧分よりもわずかに小さな円弧分の円弧を描いている内面を有し、（ｃ）上記縦溝の第２の縦溝部が、その延長方向と直交する断面でみて上記第１の同軸ケーブルの外部導体の外径と等しいかまたはそれに近い径の円の半円弧分よりもわずかに小さな円弧分の円弧を描いている内面を有し、（ｄ）上記横溝が、上記縦溝の延長方向と直交する断面でみて、上記縦溝の第１の縦溝部の内面よりも輻方向に外側に下っている内面を有する第１及び第２の同軸ケーブル挟み付け用治具と、
（ハ）上記第１の同軸ケーブルの絶縁体の外径と等しいかそれよりもわずかに大きな内径と上記第１の同軸ケーブルの外部導体の外径と等しいかそれよりもわずかに小さな外径とを有し、且つ上記第１の同軸ケーブルの一方の遊端部における上記外部導体の遊端面及び上記中心導体の遊端面間の距離よりも長い長さを有する筒体を突設している外部導体押込み用治具とを用意し、
（ニ）（ａ）上記第１及び第２の同軸ケーブル挟み付け用治具と、上記第１の同軸ケーブルとを、(1)上記第１及び第２の同軸ケーブル挟み付け用治具がそれらの横溝をして相対向しているように、且つ(2)上記第１の同軸ケーブルが、その一方の遊端部における上記外部導体の遊端面をして上記第１及び第２の同軸ケーブル挟み付け用治具の縦溝の第１の縦溝部の延長途上に位置して上記第１及び第２の同軸ケーブル挟み付け用治具の縦溝の第１及び第２の縦溝部内に位置しているように、相対的に位置させた状態で、（ｂ）上記第１の同軸ケーブルを、上記第１及び第２の同軸ケーブル挟み付け用治具を用いて、上記第１及び第２の同軸ケーブル挟み付け用治具の縦溝の第２の縦溝部内に位置する領域において、挟み付けて、上記第１及び第２の同軸ケーブル挟み付け用治具に固定し、
（ホ）（ａ）その状態から、上記外部導体押し込み用治具の筒体を、上記第１及び第２の同軸ケーブル挟み付け用治具の縦溝の第１の縦溝部と上記第１の同軸ケーブルの一方の遊端部における上記絶縁体の上記外部導体の遊端面及び上記絶縁体の遊端面間の領域との間の空間内に、その空間の上記第１及び第２の同軸ケーブル挟み付け用治具の縦溝の第２の縦溝部側とは反対側の端側から、上記外部導体押し込み用治具の筒体内に上記第１の同軸ケーブルの一方の遊端部における上記絶縁体の上記外部導体の遊端面及び上記絶縁体の遊端面間の領域が挿入されるように、挿入して、その筒体の遊端面を、上記第１の同軸ケーブルの一方の遊端部における上記外部導体の遊端面に当接させた状態で、（ｂ）上記第１の同軸ケーブルの外部導体の上記第１及び第２の同軸ケーブル挟み付け用治具の縦溝の第１の縦溝部内に位置する領域を、上記外部導体押し込み用治具を用い、その筒体を介して、上記第１及び第２の同軸ケーブル挟み付け用治具の横溝側の先端部が上記第１及び第２の同軸ケーブル挟み付け用治具の横溝内に押し出されるように、上記第１及び第２の同軸ケーブル挟み付け用治具の縦溝の第２の縦溝部側に押圧することを特徴とする同軸ケーブルの製法。
【発明の詳細な説明】
【０００１】
【産業上の利用分野】
本発明は同軸ケーブルの製法に関する。
【０００２】
【従来の技術】
従来、図７に示すような、（ａ）中心導体２と、（ｂ）その周りに密着して配された断面円環状の絶縁体３と、（ｃ）その周りに密着して配された断面円環状の外部導体４とを有する同軸ケーブル１が提案されている。
【０００３】
なお、図７においては、同軸ケーブル１が、それに後述する同軸ケーブル用コネクタが取付けられて用いられるように、一方の遊端部５に、絶縁体３の遊端面３ａと外部導体４の遊端面４ａとが中心導体２の先端２ａからみて順次遊端部５側とは反対側の他方の遊端側（図示せず）に下がっている位置にあるように端末処理が施されている場合が示されている。
【０００４】
図７に示す従来の同軸ケーブル１は、次に述べる同軸ケーブル用コネクタを次のように取付けて用い得る。
【０００５】
まず、図７に示す従来の同軸ケーブル１に取付け得る同軸ケーブル用コネクタを、図８〜図１０を伴って述べるに、導電性を有する筒体１０を有する。
【０００６】
この導電性を有する筒体１０は、（ａ）同軸ケーブル１の絶縁体３の外径とほぼ等しい径の円筒内面１１ａと、円筒外面１１ｂとを有する円筒状の筒部１１と、（ｂ）同軸ケーブル１の外部導体４の外径と等しいかまたはそれよりも大きな径（図においては、等しい径よりもわずかに大きな径）の円筒内面１２ａと、筒部１１の円筒外面１１ｂの径よりも大きな径の円筒外面１２ｂとを有する円筒状の筒部１２と、（ｃ）筒部１２の円筒内面１２ａの径と等しいかまたはそれよりも大きな径（図の場合、大きな径）から軸方向に直線的に徐々に大きな径に変化する径を有する円錐内面１３ａと、その円錐内面１３ａの最大径側における円筒外面１３ｂとを有する円筒状の筒部１３とを有し、そして、（ｄ）それら筒部１１、１２及び１３が、それらの順に且つ筒部１３をその円錐内面１３ａの小さな径側が筒部１２側になる向きにして、それらの軸をそれらに共通の軸０−０と一致させた状態で、一体に連結されている構成を有する。
【０００７】
この場合、筒部１１は、筒部１２側の外部に露出し且つ筒体１０の軸と直交する面内に延長している円環状端面１１ｃを有している。また、筒部１２は、その円筒外面１２ｂ側から円筒内面１２ａ側に向って穿設された円環状溝１２ｄを有している。さらに、筒部１３は、後述する同軸ケーブル推進手段５０を構成している、その円筒外面１３ｂに付された螺子１３ｃを有する。
【０００８】
また、導電性を有する筒体１０の周りに回動し得る状態に配されている筒体２０を有する。
【０００９】
この筒体２０は、（ａ）筒体１０の筒部１１の円筒外面１１ｂよりも大きな径を有する円筒内面２１ａと、円筒外面２１ｂとを有する円筒状の筒部２１と、（ｂ）筒体１０の筒部１２の円筒外面１２ｂと等しいかまたはそれよりもわずかに大きな径の円筒内面２２ａと、円筒外面２２ｂを有する筒部２２とを有し、そして、（ｃ）それら筒部２１及び２２が、それらの順に、それらの軸をそれらに共通の軸と一致させた状態で、一体に連結されている構成を有する。
【００１０】
この場合、筒部２１は、その円筒内面２１ａに付された母螺２１ｃを有する。また、筒部２２は、その円筒内面２２ａ側から円筒外面２２ｂに向って穿設され且つ筒体１０の筒部１２の円筒外面１２ｂ側に穿設されている円環状溝１２ｄと同じであるのを可とする幅を有する円環状溝２２ｄを有し、また、その円環状溝２２ｄから筒部２１側にみた長さが筒体１０の筒部１２の円環状溝１２ｄから筒部１１側にみた長さよりも長く且つ円環状溝２２ｄから筒部２１側とは反対側にみた長さが筒体１０の筒部１２の環状溝１２ｄから筒部１３側にみた長さよりも短い、という長さを有する。
【００１１】
そして、導電性を有する筒体１０の筒部１２の円筒外面２１ｂ側に穿設されている円環状溝１２ｄ内に、筒体１０の円筒外面２１ｂ側に穿設されている円環状溝２１ｄの底の径よりもわずかに大きな内径と筒体２０の筒部２２の円筒内面２２ａ側に穿設されている円環状溝２２ｄの底の径よりもわずかに大きな外径と円環状溝１２ｄ及び２２ｄの幅と等しいかそれよりもわずかに狭い幅とを有するＣ環状の弾性体２３を予め配し、その状態で、筒体２０を、その筒部２２が筒体１０側にある向きで、筒体２０内に筒体１０の筒部１１及び１２がそれらの順に挿入されるように、弾性体２３を押し縮めながら、筒体１０に向って、円環状溝２２ｄ内に弾性体２３が位置するまで進ませることによって、筒体２０が、筒体１０の周りに、円環状溝２２ｄの底と弾性体２３の外面との間の摩擦を伴って回動し得る状態に配されている。
【００１２】
また、同軸ケーブル推進手段５０を有する。
【００１３】
この同軸ケーブル推進手段５０は、上述した筒体１０の筒部１３の外周面１３ｂに付された螺子１３ｃと、他の筒体３０及び４０を有する。
【００１４】
この場合、筒体３０は、（ａ）同軸ケーブル１の外部導体４の外径と等しいかそれよりもわずかに小さな径を有する円筒内面に、例えば小さな径から軸方向に徐々に大きな径に変化し、次で、最初の径に変化するという径を有する内面が軸方向に繰り返し配列されている内面のように、凹凸加工が施されている内面３０ａと、（ｂ）筒体１０の筒部１３の円錐内面１３ａの最小径と等しいまたはそれよりもわずかに小さな径から、軸方向に筒部１３の円錐内面１３ａの最大径よりも大きな径まで、円錐内面１３ａの場合に比しわずかに大きな変化率で直線的に徐々に大きな径に変化する径を有する円錐外面３０ｂと、（ｃ）筒体３０の軸と直交する面上に延長している内側の円環状面部３１ａとその外端の径から軸方向に且つ筒体３０の円錐外面３０ｂの径が小さい側に向う方向に徐々に大きな径に円錐外面３０ｂに達するまで変化する径を有する外側の円錐面部３１ｂとを有する、筒体３０の円錐外面３０ｂの径が大きい側の端面３１とを有しているとともに、（ｄ）両端面間に軸と平行に延長している割り（図示せず）を有している構成を有する。
【００１５】
また、筒体４０は、（ａ）筒体１０の筒部１３に付された螺子１３ｄと螺合し得る母螺４１ｃが付されている内面４１ａと、円筒外面４１ｂとを有する円筒状の筒部４１と、（ｂ）その筒部４１の内面４１ａと等しいかそれよりもわずかに大きな径から軸方向に筒体３０の端面３１の円錐面部３１ｂと同じ変化率で徐々に小さな径に筒体３０の端面３１の円環状面部３１ａの内径と等しいかそれよりもわずかに小さな径になるまで変化している径を有する円錐内面部４２ｃと、その円錐内面部４２ｃの最小径と同じ径を有する円筒内面部４２ｄとを有する筒体３０の円錐外面３０ｂ側の最大径側の上述した端面３１の円錐面部３１ｂと係合し得る内面４２ａと、円筒外面４２ｂとを有する筒部４２とを有し、そして、（ｃ）それら筒部４１及び４２が、筒部４２をその内面４２ａの円筒内面部４２ｄを筒部４１側とは反対側になる向きにして、それらの軸をそれらに共通の軸と一致させた状態で、一体に連結されている構成を有する。
【００１６】
以上で、図７に示す従来の同軸ケーブル１に取付け得る同軸ケーブル用コネクタの構成が明らかになった。
【００１７】
次に、図７に示す従来の同軸ケーブル１を、それに図８〜図１０で上述した同軸ケーブル用コネクタをどのように取付て用いるかについて述べよう。
【００１８】
図８〜図１０に示す同軸ケーブル用コネクタによれば、とくに、図９に示すように、同軸ケーブル１の上述したように端末処理の施された遊端部５の周りに、その外部導体４の周りにおいて、同軸ケーブル把持推進手段５０を構成している筒体４０を、その筒部４１が同軸ケーブル１の中心導体２の先端２ａ側にある向きに、配した状態にすることができ、また、その状態で、同軸ケーブル１の端末処理の施された遊端部５の周りに、その外部導体４の周りにおいて、同軸ケーブル把持推進手段５０を構成している筒体３０を、その円錐外面３０ｂの最小径側が同軸ケーブル１の中心導体２の先端２ａ側にある向きに、配した状態にすることができる。
【００１９】
また、そのように同軸ケーブル１の端末処理の施された遊端部５の周りに筒体４０及び３０を配している状態で、同軸ケーブル１の遊端部５を、その中心導体２の先端２ａ側から、導電性を有する筒体１０内に、その筒部１３側から、（ａ）同軸ケーブル１の遊端部５の中心導体２の先端２ａが筒体１０の筒部１１側の端面から外方に突出し、（ｂ）同軸ケーブル１の遊端部５における絶縁体３の外部導体４の遊端面４ａの位置から絶縁体３の端面３ａまでの部が筒体１０の筒部１１内に位置し、（ｃ）同軸ケーブル１の遊端部５における外部導体４が筒体１０の筒部１２及び１３内に位置し、そして、（ｄ）同軸ケーブル１の外部導体４の遊端面４ａが筒体１０の筒部１１の円環状端面１１ｃに当接または近接対向している、という状態に挿入させることができる。
【００２０】
また、そのような状態から、筒体４０の筒部４１の母螺４１ｃを、同軸ケーブル推進手段５０を構成している筒体１０の筒部１３の螺子１３ｃに、それが筒体４０の筒部４１の母螺４１ｃ内に進入するように螺合させ、そして、筒体４０を、筒体１０の筒部１１側に推進させることができ、また、それによって、その筒体４０の筒部４２の内面４２ａの円錐内面部４２ｃを、同軸ケーブル把持推進手段５０を構成している筒体３０の端面３１の円錐面部３１ｂに、筒体３０の端面３１側とは反対側に向かって当接させて、筒体３０を、筒体１０の筒部１１側に推進させることができ、そして、このとき、筒体３０の円錐外面３０ｂが筒体１０の筒部１３の円錐内面１３ａと係合し、一方、筒体３０が割りを有することによって、筒体３０が、内径を小さくするように押し縮まり、同軸ケーブル１の外部導体４を外側から把持し、このため、同軸ケーブル１を、筒体１０内に、筒部１１側に向かって推進させ、それによって、図１０に示すように、同軸ケーブル１の外部導体４の遊端面４ａを、導電性を有する筒体１０の筒部１１の円環状内面１１ｃに圧接させ、それにより、同軸ケーブル１の外部導体４を導電性を有する筒体１０に電気的に連結されている状態にさせることができる。また、そのような状態が得られれば、筒体１０は、筒体３０及び４０とともに、同軸ケーブル１の遊端部５に固定して取付けられた状態になる。
【００２１】
さらに、そのような状態から、同軸ケーブル１の中心導体２及び導電性筒体１０の筒部１１に、詳細説明は省略するが、外部の他の同軸ケーブルの中心導体及び外部導体などを、筒体１０の周りに回動し得るように配されている筒体２０を利用して、連結させることができる。
【００２２】
以上のことから、図７に示す従来の同軸ケーブル１によれば、その遊端部５に上述したように端末処理を施し、そして、その遊端部５において、図８〜図１０に示す同軸ケーブル用コネクタを、同軸ケーブル１の外部導体４が導電性を有する筒体１０を介して外部に連結できるように且つ同軸ケーブル１の中心導体２が直接外部に連結できるように取付けることができ、よって、そのように同軸ケーブル用コネクタを取付け、それを介して、中心導体２及び外部導体４を外部に連結させるべく用い得る。
【００２３】
【発明が解決しようとする課題】
図７に示す従来の同軸ケーブル１の場合、図８〜図１０に示す同軸ケーブル用コネクタを取付けて用い得るが、その同軸ケーブル用コネクタが、（１）筒体１０の筒部１１の円筒内面１１ａと筒部１２の円筒内面１２ａとを互いに異なる円筒面上にあらしめる必要があり、また、（２）筒体１０の筒部１３をして、円錐内面１３ａを有している必要があり、さらに、（３）同軸ケーブル推進手段５０をして、凹凸加工が施されている内面３０ａと円錐外面３０ｂとを有するとともに割りを有している筒体３０を有している必要があり、また、（４）同軸ケーブル推進手段５０を構成している筒体４０の筒部４２をして、円錐内面部４２ｃを及び円筒内面部４２ｄを有する内面４２ａを有している必要があり、このため、取付け得る同軸ケーブル用コネクタとして、廉価なものを用いることができない、という欠点を有していた。
【００２４】
よって、本発明は、上述した欠点のない、同軸ケーブルを製造することができる、新規な同軸ケーブルの製法を提案せんとするものである。
【００２５】
【課題を解決するための手段】
本発明による同軸ケーブルの製法は、図７に示す従来の同軸ケーブルと同様の、中心導体と、そのまわりに密着して配された断面円環状の絶縁体と、そのまわりに密着して配された断面円環状の外部導体とを有する同軸ケーブルにおいて、その外部導体が、上記同軸ケーブルの一方の遊端部側の延長途上において、断面円環状のコネクタ取付用膨出部を有している、という同軸ケーブルを製造するための方法であって、（イ）中心導体と、そのまわりに密着して配された断面円環状の絶縁体と、そのまわりに密着して配された断面円環状の外部導体とを有し、一方の遊端部に、上記外部導体の遊端面が上記絶縁体の遊端面よりも上記一方の遊端部側とは反対側の他方の遊端部側に下っている位置にあるように端末処理が施されている第１の同軸ケーブルから出発して、その外部導体が、上記第１の同軸ケーブルの一方の遊端部側の延長途上において、断面円環状のコネクタ取付用膨出部を有している第２の同軸ケーブルを製造する製法であって、（ロ）（ａ）平らな主面と、相対向する両端面と、上記主面に臨み且つ上記相対向する両端面間に直線的に延長している縦溝と、上記主面に臨み且つ上記縦溝をその延長方向に第１及び第２の縦溝部に２分するように上記縦溝と直交して延長している横溝とを有し、（ｂ）上記縦溝の第１の縦溝部が、その延長方向と直交する断面でみて、上記第１の同軸ケーブルの外部導体の外径と等しいかそれよりもわずかに大きな径の円の半円弧分よりもわずかに小さな円弧分の円弧を描いている内面を有し、（ｃ）上記縦溝の第２の縦溝部が、その延長方向と直交する断面でみて、上記第１の同軸ケーブルの外部導体の外径と等しいかまたはそれに近い径の円の半円弧分よりもわずかに小さな円弧分の円弧を描いている内面を有し、（ｄ）上記横溝が、上記縦溝の延長方向と直交する断面でみて、上記縦溝の第１の縦溝部の内面よりも輻方向に外側に下っている内面を有する第１及び第２の同軸ケーブル挟み付け用治具と、（ハ）上記第１の同軸ケーブルの絶縁体の外径と等しいかそれよりもわずかに大きな内径と上記第１の同軸ケーブルの外部導体の外径と等しいかそれよりもわずかに小さな外径とを有し、且つ上記第１の同軸ケーブルの一方の遊端部における上記外部導体の遊端面及び上記中心導体の遊端面間の距離よりも長い長さを有する筒体を突設している外部導体押込み用治具とを用意し、（ニ）（ａ）上記第１及び第２の同軸ケーブル挟み付け用治具と、上記第１の同軸ケーブルとを、(1)上記第１及び第２の同軸ケーブル挟み付け用治具がそれらの横溝をして相対向しているように、且つ(2)上記第１の同軸ケーブルが、その一方の遊端部における上記外部導体の遊端面をして上記第１及び第２の同軸ケーブル挟み付け用治具の縦溝の第１の縦溝部の延長途上に位置して上記第１及び第２の同軸ケーブル挟み付け用治具の縦溝の第１及び第２の縦溝部内に位置しているように、相対的に位置させた状態で、（ｂ）上記第１の同軸ケーブルを、上記第１及び第２の同軸ケーブル挟み付け用治具を用いて、上記第１及び第２の同軸ケーブル挟み付け用治具の縦溝の第２の縦溝部内に位置する領域において、挟み付けて、上記第１及び第２の同軸ケーブル挟み付け用治具に固定し、（ホ）（ａ）その状態から、上記外部導体押し込み用治具の筒体を、上記第１及び第２の同軸ケーブル挟み付け用治具の縦溝の第１の縦溝部と上記第１の同軸ケーブルの一方の遊端部における上記絶縁体の上記外部導体の遊端面及び上記絶縁体の遊端面間の領域との間の空間内に、その空間の上記第１及び第２の同軸ケーブル挟み付け用治具の縦溝の第２の縦溝部側とは反対側の端側から、上記外部導体押し込み用治具の筒体内に上記第１の同軸ケーブルの一方の遊端部における上記絶縁体の上記外部導体の遊端面及び上記絶縁体の遊端面間の領域が挿入されるように、挿入して、その筒体の遊端面を、上記第１の同軸ケーブルの一方の遊端部における上記外部導体の遊端面に当接させた状態で、（ｂ）上記第１の同軸ケーブルの外部導体の上記第１及び第２の同軸ケーブル挟み付け用治具の縦溝の第１の縦溝部内に位置する領域を、上記外部導体押し込み用治具を用いて、その筒体を介して、上記第１及び第２の同軸ケーブル挟み付け用治具の横溝側の先端部が上記第１及び第２の同軸ケーブル挟み付け用治具の横溝内に押し出されるように、上記第１及び第２の同軸ケーブル挟み付け用治具の縦溝の第２の縦溝部側に押圧する。
【００２６】
【作用・効果】
本発明による同軸ケーブルの製法によれば、図７に示す従来の同軸ケーブルの場合と同様に、同軸ケーブル用コネクタを取付けて用い得、そして、その同軸ケーブル用コネクタとして、図８〜図１０に示す同軸ケーブル用コネクタと異なる、それに比し構造が簡単な廉価なものを用いることができる、という同軸ケーブルを容易に製造することができる。
【００２７】
【実施例】
まず、本発明による同軸ケーブルの製法の理解の容易のために、図１を伴って、本発明による同軸ケーブルの製法によって製造される同軸ケーブルの実施例を述べよう。
【００２８】
図１において、図７との対応部分には同一符号を付して示す。
【００２９】
図１に示す本発明による同軸ケーブルの製法によって製造される同軸ケーブルの実施例は、符号１′で示され、図７に示す従来の同軸ケーブル１の場合と同様に、（ａ）中心導体２と、（ｂ）その周りに密着して配された断面円環状の絶縁体３と、（ｃ）その周りに密着して配された断面円環状の外部導体４とを有し、しかしながら、外部導体４が、同軸ケーブル１の一方の遊端部側の延長途上において、断面円環状のコネクタ取付用膨出部６を有している、という構成を有する。
【００３０】
なお、図１においては、従来の同軸ケーブル１を示している図７の場合と同様に、同軸ケーブル１′が、それに後述する同軸ケーブル用コネクタが取付けられて用いられるように、一方の遊端部５に、絶縁体３の遊端面３ａと外部導体４の遊端面４ａとが中心導体２の先端２ａからみて順次遊端部５側とは反対側の他方の遊端側（図示せず）に下がっている位置にあるように端末処理が施されている場合が示されている。
【００３１】
以上で、本発明による同軸ケーブルの製法によって得られる同軸ケーブル１′の実施例が明らかとなったが、次に、図２〜図３を伴って、図１に示す同軸ケー同軸ケーブル１′を製造する、本発明による同軸ケーブルの製法の実施例を述べよう。
【００３２】
図２及び図３において、図１との対応部分には同一符号を付して示す。
【００３３】
図２及び図３に示す本発明による同軸ケーブルの製法の実施例は、図２に示すような、中心導体２と、そのまわりに密着して配された断面円環状の絶縁体３と、そのまわりに密着して配された断面円環状の外部導体４とを有し、そして、一方の遊端部５に、外部導体４の遊端面４ａが絶縁体３の遊端面３ａ（図示のように中心導体２の遊端面２ａと同じ面上にあっても、また、中心導体２の遊端面２ａよりも、一方の遊端部５側とは反対側の他方の遊端部（図示せず）側に下っている面上にあってもよい）よりも一方の遊端部５側とは反対側の他方の遊端部（図示せず）側に下っている位置にあるように端末処理が施されている第１の同軸ケーブル１″から出発して、図１に示すと同様の、外部導体４が、同軸ケーブル１″の一方の遊端部５の延長途上において、断面円環状のコネクタ取付用膨出部６を有している、という構成の第２の同軸ケーブル１′を製造する製法であって、以下述べるとおりである。
【００３４】
すなわち、図２に示すような、第１及び第２の同軸ケーブル挟み付け用治具５１及び５２と、外部導体押し込み用治具７１とを用意する。
【００３５】
この場合、第１及び第２の同軸ケーブル挟み付け用治具５１及び５２は、（ａ）平らな主面６０と、相対向する両端面６１ａ及び６１ｂと、主面６０に臨み且つ相対向する両端面６１ａ及び６１ｂ間に直線的に延長している縦溝６２と、主面６０に臨み且つ縦溝６２をその延長方向に第１及び第２の縦溝部６２ａ及び６２ｂに２分するように縦溝６２と直交して延長している横溝６４とを有し、そして、（ｂ）縦溝６２の第１の縦溝部６２ａが、その延長方向と直交する断面でみて第１の同軸ケーブル１″の外部導体４の外径と等しいかそれよりもわずかに大きな径の円の半円弧分よりもわずかに小さな円弧分の円弧を描いている内面６３ａを有し、また、（ｃ）縦溝６２の第２の縦溝部６２ｂが、その延長方向と直交する断面でみて、第１の同軸ケーブル１″の外部導体４の外径と等しいかまたはそれに近い（外部導体４の外径よりもわずかに小さいまたは大きい）径の円の半円弧分よりもわずかに小さな円弧分の円弧を描いている内面６３ｂを有し、さらに、（ｄ）横溝６４が、縦溝６２の延長方向と直交する断面でみて、縦溝６２の第１の縦溝部６２ａの内面６３ａよりも輻方向に外側に下っている内面６５を有する。
【００３６】
なお、横溝６４の内面６５は、図示のように、縦溝６２の延長方向の断面でみて、縦溝６２の第１の縦溝部６２ａの内面６３ａが延長している円の中心点（これを０とする）を通る主面６０と垂直な線上の中心点０よりも主面６０から外方に遠ざかる点を中心とする円の半円弧分よりも小さな円弧を描いているのを可とする。
【００３７】
また、外部導体押し込み用治具７１は、第１の同軸ケーブル１″の絶縁体３の外径と等しいかそれよりもわずかに大きな内径と第１の同軸ケーブル１″の外部導体４の外径と等しいかそれよりもわずかに小さな外径とを有し、且つ第１の同軸ケーブル１″の一方の遊端部５における外部導体４の遊端面４ａ及び中心導体２の遊端面２ａ（絶縁体３の遊端面３ａが中心導体２の遊端面２ａ上にある場合、絶縁体３の遊端面３ａということもできる）間の距離よりも長い長さを有する筒体８１を突設している。
【００３８】
そして、（ａ）上述した第１及び第２の同軸ケーブル挟み付け用治具５１及び５２と、上述した第１の同軸ケーブル１″とを、図３Ａに示すように、(1)第１及び第２の同軸ケーブル挟み付け用治具５１及び５２がそれらの横溝６４をして相対向しているように、且つ(2)第１の同軸ケーブル１″が、その一方の遊端部５における外部導体４の遊端面４ａをして第１及び第２の同軸ケーブル挟み付け用治具５１及び５２の縦溝６２の第１の縦溝部６２ａの延長途上に位置して第１及び第２の同軸ケーブル挟み付け用治具５１及び５２の縦溝６２の第１及び第２の縦溝部６２ａ及び６２ｂ内に位置しているように、相対的に位置させた状態で、（ｂ）第１の同軸ケーブル１″を、第１及び第２の同軸ケーブル挟み付け用治具５１及び５２を用いて、第２の縦溝部６２ｂ内に位置する領域４０ｃにおいて、挟み付けて、第１及び第２の同軸ケーブル挟み付け用治具５１及び５２に固定する。
【００３９】
この場合、（ａ）第１の同軸ケーブル挟み付け用治具５１を固定体、第２の同軸ケーブル挟み付け用治具５２を可動体とし、そして、固定体としての第１の同軸ケーブル挟み付け用治具５１上に、第１の同軸ケーブル１″を、外部導体４の遊端面４ａが第１の同軸ケーブル挟み付け用治具５１の縦溝６２の第１の縦溝部６２ａの延長途上に位置して第１の同軸ケーブル挟み付け用治具５１の縦溝６２の第１及び第２の縦溝部６２ａ及び６２ｂ内に位置するように位置させ、次に、可動体としての第２の同軸ケーブル挟み付け用治具５２を、固定体としての第１の同軸ケーブル挟み付け用治具５１の主面６０側の上方から、第１の同軸ケーブル１″が可動体としての第２の同軸ケーブル挟み付け用治具５２の縦溝６２の第１及び第２の縦溝部６２ａ及び６２ｂ内に位置するように、且つ可動体としての第２の同軸ケーブル挟み付け用治具５２の横溝６４が固定体としての第１の同軸ケーブル挟み付け用治具５１の横溝６４と対向しているように位置決めして、可動体としての第２の同軸ケーブル挟み付け用治具５２の縦溝６２の第２の縦溝部６２ｂの内面６３ｂで第１の同軸ケーブル１″を固定体としての第１の同軸ケーブル挟み付け用治具５１の縦溝６２の第２の縦溝部６２ｂの内面６３ｂ側に向って押し付ける、（ｂ）第１及び第２の同軸ケーブル挟み付け用治具５１及び５２をそれらの横溝６４が互いに対向している状態でともに可動し得る可動体とし、そして、第１及び第２の同軸ケーブル挟み付け用治具５１及び５２を互いに離している状態で、それら第１及び第２の同軸ケーブル挟み付け用治具５１及び５２間に、第１の同軸ケーブル１″を、その外部導体４の遊端面４ａが第１及び第２の同軸ケーブル挟み付け用治具５１及び５２の縦溝６２の第１の縦溝部６２ａの延長途上の位置と対向している状態で、第１及び第２の縦溝部６２ａ及び６２ｂに対向するように位置決めして、固定して配し、その状態から、第１及び第２の同軸ケーブル挟み付け用治具５１及び５２を互いに近接するように可動させるなどによって、第１の同軸ケーブル１″を、第１及び第２の同軸ケーブル挟み付け用治具５１及び５２の縦溝６２の第２の縦溝部６２ｂ内に位置する領域４０ｃにおいて、挟み付けて、第１及び第２の同軸ケーブル挟み付け用治具５１及び５２を固定することができる。なお、上述した位置決めは、第１の同軸ケーブル挟み付け用治具５１に、図示のように、予め設けた主面６０側からそれと直交して内部に延長している案内孔９１と、第２の同軸ケーブル挟み付け用治具５２に、図示のように、予め設けた主面６０側からそれと直交して外方に突出延長している、案内孔９１内に緩挿する案内ピン９２とを用いて行うことができる。
【００４０】
次に、第１の同軸ケーブル１″を、上述したように、第１及び第２の同軸ケーブル挟み付け用治具５１及び５２を用いて、第２の縦溝部６２ｂ内に位置する領域４０ｂにおいて、挟み付けて、第１及び第２の同軸ケーブル挟み付け用治具５１及び５２に固定している状態から、上述した外部導体押し込み用治具７１の筒体８１を、図３Ｂに示すように、第１及び第２の同軸ケーブル挟み付け用治具５１及び５２の縦溝６２の第１の縦溝部６２ａと第１の同軸ケーブル１″の一方の遊端部５における絶縁体３の外部導体４の遊端面４ａ及び絶縁体３の遊端面３ａ間の領域４０ａとの間の空間９３内に、その空間９３の第１及び第２の同軸ケーブル挟み付け用治具５１及び５２の縦溝６２の第２の縦溝部６２ｂ側とは反対側の端側から、外部導体押し込み用治具７１の筒体８１内に第１の同軸ケーブル１″の一方の遊端部５における絶縁体３の外部導体４の遊端面４ａ及び絶縁体３の遊端面３ａ間の領域４０ａが挿入されるように、挿入して、その筒体８１の遊端面８１ａを、第１の同軸ケーブル１″の一方の遊端部５における外部導体４の遊端面４ａに当接させた状態で、（ｂ）第１の同軸ケーブル１″の外部導体４の第１及び第２の同軸ケーブル挟み付け用治具５１及び５２の縦溝６２の第１の縦溝部６２ａ内に位置する領域４０ｂを、外部導体押し込み用治具７１を用い、その筒体８１を介して、第１及び第２の同軸ケーブル挟み付け用治具５１及び５２の横溝６４側の先端部が第１及び第２の同軸ケーブル挟み付け用治具５１及び５２の横溝６４内に押し出されるように、第１及び第２の同軸ケーブル挟み付け用治具５１及び５２の縦溝６２の第２の縦溝部６２ｂ側に押圧する。
【００４１】
しかるときは、図２に示す第１の同軸ケーブル１″から、その外部導体４が、第１の同軸ケーブル″の一方の遊端部５の延長途上において、外部導体４の第１及び第２の同軸ケーブル挟み付け用治具５１及び５２の縦溝の領域４０ｂの第１及び第２の同軸ケーブル挟み付け用治具５１及び５２の横溝６４側の先端部が第１及び第２の同軸ケーブル挟み付け用治具５１及び５２の横溝６４内に押し出された分による、断面円環状のコネクタ取付用膨出部６を有する、図１に示すと同様の第２の同軸ケーブル１′が得られる。ただし、図においては、第１の同軸ケーブル１″の一方の遊端部５における端末処理が絶縁体３の遊端面３ａを中心導体２の遊端面２ａよりも一方の遊端部５側とは反対側の他方の遊端部側に下らせていない端末処理であるとしたことから、絶縁体３の遊端面３ａが中心導体２の遊端面２ａよりも一方の遊端部５側とは反対側の他方の遊端部側に下っていない場合が示されている。
【００４２】
次に、外部導体押し込み用治具７１の筒体８１を、第１及び第２の同軸ケーブル挟み付け用治具５１及び５２の縦溝６２の第１の縦溝部６２ａと第２の同軸ケーブル１′の一方の遊端部５における外部導体４の遊端面４ａ及び絶縁体３の遊端面３ｂ間の領域との空間から外部に抜き出し、次に、第１及び第２の同軸ケーブル挟み付け用治具５１及び５２を互いに遠ざかるように相対的に動かし、第２の同軸ケーブル１′を取り出す。
【００４３】
以上で、図１に示す本発明による同軸ケーブルの製法の実施例が明らかとなった。
【００４４】
まず、本発明による同軸ケーブルの製法の実施例の理解の容易のため、本発明による同軸ケーブルの製法により製造される図１に示す同軸ケーブル１′について述べると、その同軸ケーブル１′は、次に述べる同軸ケーブル用コネクタを次のように取付けて用い得る。
【００４５】
まず、図１に示す同軸ケーブル１′に取付け得る同軸ケーブル用コネクタを、図４〜図６を伴って述べるに、図８〜図１０で前述した同軸ケーブル用コネクタにおいて、（１）筒体１０の筒部１２の円筒内面１２ａをして、同軸ケーブル１′の外部導体４の外径と等しいかそれよりも大きな径を有しているのに代え、絶縁体３の外径と等しいかそれよりもわずかに大きな径を有しており、また、（２）筒体１０の筒部１３をして、円錐内面１３ａを有しているのに代え、同軸ケーブル１′の外部導体４またはコネクタ取付用膨出部６（図においては、外部導体４）の外径と等しいかまたはそれよりも大きな径を有する円筒内面１３ａ′を有しており、さらに、（３）同軸ケーブル推進手段５０をして、凹凸加工が施されている内面３０ａと円錐外面３０ｂとを有するとともに割りを有している筒体３０を有しているのに代え、同軸ケーブル１′の外部導体４の外径と等しいかまたはそれよりもわずかに大きな内径と、筒体４０の筒部４１の内面４１ａの径と等しいかまたはそれよりも小さな外径とを有する弾性環体３０′を有し、また、（４）同軸ケーブル推進手段５０を構成している筒体４０の筒部４２をして、円錐内面部４２ｃ及び円筒内面部４２ｄを有する内面４２ａを有するのに代え、外部導体４の外径と等しいかそれよりもわずかに大きな径を有する円筒内面４２ａ′と、その円筒内面４２ａ′の筒部４１側の端から筒部４２の軸と直交して輻方向に外方に延長している円環状の端面４２ｃ′とを有し、さらに、（５）筒部１１が有する筒部１２側の外部に露出している円環状端面す１１ｃに代え、筒部１２が筒部１３側の外部に露出している円環状端面１２ｃを有していることを除いて、図８〜図１０で前述した同軸ケーブル用コネクタと同様の構成を有する。
【００４６】
次に、図１に示す同軸ケーブル１′を、それに図４〜図６で上述した同軸ケーブル用コネクタをどのように取付けて用いるかについて述べよう。
【００４７】
図４〜図６に示す同軸ケーブル用コネクタによれば、とくに、図５に示すように、同軸ケーブル１′の上述した端末処理の施された遊端部５の周りに、その中心導体２の先端２ａ側とは反対側から、（ａ）外部導体４の周りのコネクタ取付用導体環６からみて中心導体２の先端２ａ側とは反対側において、同軸ケーブル推進手段５０を構成している弾性環体３０′を配した状態にすることができるとともに、（ｂ）いま外部導体４の周りに配された弾性環体３０′よりも中心導体２の先端２ａ側とは反対側において、同軸ケーブル推進手段５０を構成している筒体４０を、その筒部４１が同軸ケーブル１′の中心導体２の先端２ａ側にある向きに配した状態にすることができる。
【００４８】
また、そのように同軸ケーブル１′の端末処理の施された遊端部５の周りに筒体４０及び弾性環体３０′を配している状態で、同軸ケーブル１′の遊端部５を、その中心導体２の先端２ａ側から、導電性を有する筒体１０内に、その筒部１３側から、（ａ）同軸ケーブル１′の遊端部５の中心導体２の先端２ａが筒体１０の筒部１１側の端面から外方に突出し、（ｂ）同軸ケーブル１′の遊端部５における絶縁体３の外部導体４の遊端面４ａの位置から絶縁体３の端面３ａまでの部が筒体１０の筒部１１及び１２内に位置し、（ｃ）同軸ケーブル１′の遊端部５における外部導体４が筒体１０の筒部１３内に位置し、そして、（ｄ）同軸ケーブル１′の外部導体４の遊端面４ａが筒体１０の筒部１２の円環状端面１２ｃに当接または近接対向している、という状態に挿入させることができる。
【００４９】
また、そのような状態から、筒体４０の筒部４１の母螺４１ｃを、同軸ケーブル推進手段５０を構成している筒体１０の筒部１３の螺子１３ｃに、それが筒体４０の筒部４１の母螺４１ｃ内に進入するように螺合させ、そして、筒体４０を、筒体１０の筒部１１側に推進させることができ、また、それによって、その筒体４０の筒部４２の端面４２ｃ′を、同軸ケーブル推進手段５０を構成している弾性環体３０′の端面に当接させて、弾性環体３０′を、筒体１０の筒部１１側に推進させることができ、そして、このとき、弾性環体３０′が同軸ケーブル１′のコネクタ取付用膨出部６の端面を筒体１０の筒部１１側に向って押すので、同軸ケーブル１′を、筒体１０内に、筒部１１側に向かって推進させ、それによって、図６に示すように、同軸ケーブル１′の外部導体４の遊端面４ａを、導電性を有する筒体１０の筒部１２の円環状端面１２ｃに圧接させ、それにより、同軸ケーブル１′の外部導体４を導電性を有する筒体１０に電気的に連結されている状態にさせることができる。また、そのような状態が得られれば、筒体１０は、弾性環体３０′及び筒体４０とともに、同軸ケーブル１′の遊端部５に固定して取付けられた状態になる。
【００５０】
さらに、そのような状態から、同軸ケーブル１′の中心導体２及び導電性筒体１０の筒部１１に、詳細説明は省略するが、外部の他の同軸ケーブルの中心導体及び外部導体などを、筒体１０の周りに回動し得るように配されている筒体２０を利用して、連結させることができる。
【００５１】
上述したところから、図１に示す同軸ケーブル１′によれば、その遊端部５に上述したように端末処理を施し、そして、その遊端部５において、図４〜図６に示す同軸ケーブル用コネクタを、同軸ケーブル１′の外部導体４が導電性を有する筒体１０を介して外部に連結できるように且つ同軸ケーブル１′の中心導体２が直接外部に連結できるように取付けることができ、よって、そのように同軸ケーブル用コネクタを取付け、それを介して、中心導体２及び外部導体４を外部に連結させるべく用い得る。
【００５２】
また、図１に示す同軸ケーブル１′によれば、図４〜図６に示す同軸ケーブル用コネクタを取付けて用い得るが、その同軸ケーブル用コネクタが、（１）筒体１０の筒部１２の円筒内面１２ａをして、同軸ケーブル１′の絶縁体３の外径と等しいかそれよりもわずかに大きな外径を有していれば足り、従って、筒体１０の筒部１１の円筒内面１１ａと筒部１２の円筒内面１２ａとを同じ円筒面上にあらしめることができ、図４〜図６に示す同軸ケーブルコネクタのように、筒体１０の筒部１２の円筒内面１２ａをして、同軸ケーブル１′の外部導体の外径と等しいかまたはそれに比し大きな径を有せしめ、従って、筒体１０の筒部１１の円筒内面１１ａと筒部１２の円筒内面１２ａとを互いに異なる円筒面上にあらしめる必要がなく、また、（２）筒体１０の筒部１３をして、同軸ケーブル１′の外部導体４またはコネクタ取付用膨出部６の外径と等しいかまたはそれよりも大きな径を有する円筒内面１３ａ′を有していれば足り、図４〜図６に示す同軸ケーブル用コネクタのように円錐内面１３ａを有している必要がなく、さらに、（３）同軸ケーブル推進手段５０をして、同軸ケーブル１′の外部導体４の外径と等しいかまたはそれよりもわずかに大きな内径と、筒体４０の筒部４１の内面４１ａの径とほぼ等しいかまたはそれよりも小さな外径とを有する弾性環体３０′を有していれば足り、図４〜図６に示す同軸ケーブル用コネクタのように、凹凸加工が施されている内面３０ａと円錐外面３０ｂとを有するとともに割りを有している筒体３０を有している必要がなく、また、（４）同軸ケーブル推進手段５０を構成している筒体４０の筒部４２をして、円筒内面４２ａ′と端面４２ｃ′とを有していれば足り、図４〜図６に示す同軸ケーブル用コネクタのように、円錐内面部４２ｃ及び円筒内面部４２ｄを有する内面４２ａを有している必要がなく、このため、取付け得る同軸ケーブル用コネクタとして、図１に示す従来の同軸ケーブル１の場合に比し廉価なものを用いることができる。
【００５３】
図２及び図３に示す本発明による同軸ケーブルの製法によれば、上述した特徴を有する同軸ケーブル１′を容易に製造することができる。
【００５４】
なお、上述においては、図１に示す同軸ケーブル１′に、図４〜図６に示す弾性環体３０′を有する同軸ケーブル用コネクタを取付け得ることを述べたが、弾性環体３０′を有しないことを除いて図４〜図６に示すと同様の同軸ケーブル用コネクタを取付け得る（この場合、筒体４０の筒部４２の端面４２ｃを、上述したように筒体１０の筒部１１側に向って推進させることによって、その端面４２ｃが同軸ケーブル１′のコネクタ取付用膨出部６を直接的に筒体１０の筒部１１側に向って押すので、同軸ケーブル１′の外部導体４の遊端面４ａが筒部１２の円環状端面１２ｃに圧着する）ことは明らかであろう。
【図面の簡単な説明】
【図１】  本発明による同軸ケーブルの製法によって製造される同軸ケーブルの実施例を、端末処理が施されている状態で示す一部切欠略線図である。
【図２】  本発明による同軸ケーブルの製法の実施例において予め用意された、同軸ケーブル、第１及び第２の同軸ケーブル挟み付け用治具、及び外部導体押し込み用治具を示す略線的斜視図である。
【図３】  本発明による同軸ケーブルの製法の実施例の説明に供する、本発明による同軸ケーブルになる同軸ケーブルを第１及び第２の同軸ケーブル挟み付け用治具に固定している状態を、外部導体押し込み用治具とともに示す一部を断面とする略線図である。
【図４】  図１に示す本発明による同軸ケーブルの実施例に取付け得る同軸ケーブル用コネクタを、図１に示す同軸ケーブルの実施例とともに示す断面図である。
【図５】  図１に示す同軸ケーブルの実施例に図４に示す同軸ケーブル用コネクタをどのように取付けるかを示す断面図である。
【図６】  図１に示す同軸ケーブルの実施例に図４に示す同軸ケーブル用コネクタを取付けた状態を示す断面図である。
【図７】  従来の同軸ケーブルを、端末処理が施されている状態で示す一部切欠略線図である。
【図８】  図７に示す従来の同軸ケーブルに取付け得る同軸ケーブル用コネクタを、図７に示す従来の同軸ケーブルとともに示す断面図である。
【図９】  図７に示す従来の同軸ケーブルに図８に示す同軸ケーブル用コネクタをどのように取付けるかを示す断面図である。
【図１０】  図７に示す従来の同軸ケーブルに図８に示す同軸ケーブル用コネクタを取付けた状態を示す断面図である。
【符号の説明】
１、１′、１″    同軸ケーブル
２                中心導体
２ａ              中心導体２の遊端面
３                絶縁体
３ａ              絶縁体３の遊端面
４                外部導体
４ａ              外部導体４の遊端面
５                遊端部
６                コネクタ取付用膨出部
１０                筒体
１１、１２、１３    筒部
３０                筒体
３０′              弾性環体
４０                筒体
４０ａ、４０ｂ      領域
４１                筒部
４１ｃ              母螺
５０                同軸ケーブル推進手段
５１、５２          同軸ケーブル挟み付け用治具
６０                主面
６１ａ、６１ｂ      端面
６２                縦溝
６２ａ、６２ｂ      縦溝部
６４                横溝
６５                内面
７１                外部導体押し込み用治具
８１                筒体
８１ａ              筒体８１の遊端面
９１                案内孔
９２                案内ピン
【図１】
0003683618.tif 000002
【図２】
0003683618.tif 000003
【図３】
0003683618.tif 000004
【図４】
0003683618.tif 000005
【図５】
0003683618.tif 000006
【図６】
0003683618.tif 000007
【図７】
0003683618.tif 000008
【図８】
0003683618.tif 000009
【図９】
0003683618.tif 000010
【図１０】
0003683618.tif 000011